(57)【特許請求の範囲】
【請求項１】
システムであって、
アンテナと、前記アンテナと結合されたインピーダンス変動構成要素と、前記アンテナ及び前記インピーダンス変動構成要素と結合された波形発生器とを有するアンテナモジュールと、
シグナリングインターフェースによって前記アンテナモジュールと結合され、前記アンテナモジュールと無線周波数（ＲＦ）信号を通信する無線モジュールと、
前記波形発生器及び前記無線モジュールに結合され、ステータス情報を受信し、前記ステータス情報に基づいて前記アンテナの応答を変動させるよう前記波形発生器を制御する制御モジュールと、
前記波形発生器及び前記インピーダンス変動構成要素と結合され、制御波形を前記インピーダンス変動構成要素へ通過させ、前記波形発生器からの無線周波数信号をブロックするフィルタと
を備え、
前記制御モジュールは、前記システムの動作モードに関連する動作パラメータに基づいて前記波形発生器を制御し、
前記制御モジュールは、アップリンク通信において、第１のアンテナ応答を用いる第１のプロトコルに従う第１の動作モードに関連する第１の動作パラメータに基づいて前記波形発生器を制御し、ダウンリンク通信において、第２のアンテナ応答を用いる第２のプロトコルに従う第２の動作モードに関連する第２の動作パラメータに基づいて前記波形発生器を制御する、システム。
【請求項２】
前記第１のプロトコルは、デジタルテレビジョン（ＤＴＶ）、ロングタームエボリューション（ＬＴＥ）、ＷｉＦｉ、ＷｉＭＡＸ、Ｂｌｕｅｔｏｏｔｈ、全地球測位衛星（ＧＰＳ）、及び近距離通信（ＮＦＣ）の少なくともいずれかである、請求項１に記載のシステム。
【請求項３】
前記無線モジュールは、
前記無線モジュール及び前記アンテナモジュールの少なくとも一方と関連付けられた電気特性を感知し、前記感知された電気特性に基づいて前記ステータス情報を生成するセンサを有する、請求項１又は２に記載のシステム。
【請求項４】
前記感知された電気特性は、前記システムの動作中の前記アンテナモジュールの入力インピーダンス及び前記無線モジュールの出力インピーダンスの少なくとも一方に対応する、請求項３に記載のシステム。
【請求項５】
前記インピーダンス変動構成要素はバラクターである、請求項１から請求項４のいずれか１つに記載のシステム。
【請求項６】
前記シグナリングインターフェースは同軸ケーブルである、請求項１から請求項５のいずれか１つに記載のシステム。
【請求項７】
前記シグナリングインターフェースは第１のシグナリングインターフェースであり、前記アンテナモジュールは、前記フィルタを前記インピーダンス変動構成要素に結合する第２のシグナリングインターフェースを含む、請求項１から請求項６のいずれか１つに記載のシステム。
【請求項８】
前記第１のシグナリングインターフェースは第１の同軸ケーブルであり、前記第２のシグナリングインターフェースは第２の同軸ケーブルである、請求項７に記載のシステム。
【請求項９】
前記無線モジュール及び前記制御モジュールが上に配置された回路基板を更に備え、
前記アンテナモジュールは前記回路基板とは別に配置される、請求項１から請求項８のいずれか１つに記載のシステム。
【請求項１０】
前記回路基板は第１の回路基板であり、前記システムは、
前記第１の回路基板と結合され、前記無線モジュールが上に配置された第２の回路基板を更に備える、請求項９に記載のシステム。
【請求項１１】
システムであって、
回路基板と、
前記回路基板上に配置された無線モジュールと、
前記回路基板とは別に配置され、アンテナと、インピーダンス変動構成要素とを有し、シグナリングインターフェースを介して無線周波数信号（ＲＦ信号）を前記無線モジュールと通信するアンテナモジュールと、
前記回路基板上に配置され、前記シグナリングインターフェースと結合された波形発生器と、
前記無線モジュール及び前記波形発生器と結合され、制御波形を前記シグナリングインターフェース上に提供して前記アンテナの応答を変動させるよう前記波形発生器を制御する制御モジュールと、
前記波形発生器及び前記インピーダンス変動構成要素と結合され、前記制御波形を前記インピーダンス変動構成要素へ通過させ、前記波形発生器からの前記ＲＦ信号をブロックするフィルタと
を備え、
前記制御モジュールは、前記システムの動作モードに関連する動作パラメータに基づいて前記波形発生器を制御し、
前記制御モジュールは、アップリンク通信において、第１のアンテナ応答を用いる第１のプロトコルに従う第１の動作モードに関連する第１の動作パラメータに基づいて前記波形発生器を制御し、ダウンリンク通信において、第２のアンテナ応答を用いる第２のプロトコルに従う第２の動作モードに関連する第２の動作パラメータに基づいて前記波形発生器を制御する、システム。
【請求項１２】
前記無線モジュール及び前記波形発生器は、共通のダイにモノリシックに集積される、請求項１１に記載のシステム。
【請求項１３】
前記フィルタは前記共通のダイにおいて前記無線モジュール及び前記波形発生器とモノリシックに集積される、請求項１２に記載のシステム。
【請求項１４】
前記フィルタは、前記無線モジュールのＲＦ伝送線路を通じて前記シグナリングインターフェースと結合される、請求項１３に記載のシステム。
【請求項１５】
前記回路基板は第１の回路基板であり、前記システムは、
前記第１の回路基板上に配置され、前記無線モジュール、前記波形発生器及び前記フィルタが上に配置された第２の回路基板を更に備える、請求項１１から請求項１４のいずれか１つに記載のシステム。
【請求項１６】
前記フィルタは前記シグナリングインターフェースと直接結合される、請求項１５に記載のシステム。
【請求項１７】
前記無線モジュールは、
前記無線モジュール及び前記アンテナモジュールの少なくとも一方の１つ又は複数の構成要素と結合され、感知された電気特性に基づいてステータス情報を前記制御モジュールに提供するセンサを更に備える、請求項１１から請求項１６のいずれか１つに記載のシステム。
【請求項１８】
前記センサは、前記無線モジュール内の１つ又は複数のロケーションにおいて電気特性を感知し、前記感知された電気特性に基づいて無線ステータス情報を提供する、請求項１７に記載のシステム。
【請求項１９】
前記制御モジュールは、予めプログラミングされたチューニングパラメータに基づいて前記波形発生器を制御する、請求項１１から請求項１８のいずれか１つに記載のシステム。
【発明の詳細な説明】
【技術分野】
【０００１】
本開示の実施形態は、包括的には無線通信デバイスの分野に関し、より詳細には、時変アンテナモジュールを用いた無線通信デバイスに関する。
【背景技術】
【０００２】
無線通信デバイスにおいて低減するフォームファクターは、それらのデバイスが様々なネットワークに結合するのに用いる無線プロトコルの増加と相まって困難なデバイス設計である。幾つかの設計は、デバイスが最終的に無線周波数（ＲＦ）帯域の比較的小さなサブセットのみを用いて主に、またはより排他的に動作する場合であっても、全ＲＦ帯域をカバーすることができる大型のパッシブアンテナを用いる。
【０００３】
以下の詳細な説明と添付図面の組合せにより、実施形態は容易に理解されるであろう。この説明を容易にするため、同様の参照符号は同様の構成要素を示す。添付図面の各図において、実施形態は、限定としてではなく、例示として示されている。
【図面の簡単な説明】
【０００４】
【図１】幾つかの実施形態による送受信機を示す図である。
【図２】幾つかの実施形態による送受信機を示す図である。
【図３】幾つかの実施形態による送受信機を示す図である。
【図４】幾つかの実施形態によるチューニング動作を示すフローチャートである。
【図５】本明細書において説明される様々な実施形態を実施するのに用いることができるシステムを示す図である。
【発明を実施するための形態】
【０００５】
以下の詳細な説明において、全体を通して同様の符号が同様の部分を示し、本開示の主題が実施され得る実施形態が例として示される、本明細書の一部を成す添付図面が参照される。本開示の範囲から逸脱することなく、他の実施形態が実用化され、構造的又は論理的変更が為され得ることが理解されるべきである。したがって、以下の詳細な説明は、限定的な意味には理解されるべきものではなく、実施形態の範囲は、添付の特許請求の範囲及びその均等物により規定される。
【０００６】
種々の動作が、請求される主題を理解する上で最も役立つ態様で、順に複数の個別の動作として説明される。しかし、説明の順序は、これらの動作が必ず順序に依存することを示唆すると解釈されるべきではない。特に、これらの動作が提示した順序で実施されない場合がある。説明した動作は、説明した実施形態と異なる順序で実施される場合がある。種々の追加の動作が実施される場合があり、及び／又は、説明した動作が追加の実施形態において省略される場合がある。
【０００７】
本開示の目的では、「Ａ及び／又はＢ」という用語は、「Ａ」、「Ｂ」又は「Ａ及びＢ」を意味する。本開示の目的では、「Ａ、Ｂ及び／又はＣ」という用語は、「Ａ」、「Ｂ」、「Ｃ」、「Ａ及びＢ」、「Ａ及びＣ」、「Ｂ及びＣ」又は「Ａ、Ｂ及びＣ」を意味する。
【０００８】
説明では、それぞれが、同じ実施形態、又は異なる実施形態の１つ若しくは複数に言及したものであり得る「一実施形態において」又は「実施形態において」の用語が使用され得る。さらに、本開示の実施形態に関して使用される「備える（comprising）」、「含む（including）」、「有する（having）」等の用語は、同義である。
【０００９】
本明細書において用いられるとき、「モジュール」という用語は、特定用途向け集積回路（ＡＳＩＣ）、電子回路、１つ若しくは複数のソフトウェア若しくはファームウェアプログラムを実行するプロセッサ（共有、専用又はグループ）及び／又はメモリ（共有、専用又はグループ）、組み合わせ論理回路、及び／又は説明される機能を提供する他の適切な構成要素を指すか、それらの一部であるか、又はそれらを含むことができる。
【００１０】
様々な実施形態によれば、本開示は、アンテナモジュールであって、アンテナと、アンテナと結合されたインピーダンス変動構成要素と、アンテナ及びインピーダンス変動構成要素と結合された波形発生器と、を備えるアンテナモジュールを備えるシステムを説明する。本システムは、シグナリングインターフェースによってアンテナモジュールと結合された無線モジュールであって、無線モジュールはアンテナモジュールと無線周波数（ＲＦ）信号を通信するように構成される、無線モジュールと、波形発生器及び無線モジュールに結合された制御モジュールであって、制御モジュールは、ステータス情報を受信し、ステータス情報に基づいてアンテナの応答を変動させるよう波形発生器を制御するように構成される、制御モジュールとを更に備えることができる。
【００１１】
幾つかの実施形態では、無線モジュールは、無線モジュール及び／又はアンテナモジュールと関連付けられた電気特性を感知し、感知された電気特性に基づいてステータス情報を生成するように構成されるセンサを備えることができる。感知された電気特性は、システムの動作中のアンテナモジュールの入力インピーダンス及び／又は無線モジュールの出力インピーダンスに対応することができる。
【００１２】
幾つかの実施形態では、インピーダンス変動構成要素はバラクターであり、及び／又はシグナリングインターフェースは同軸ケーブルである。
【００１３】
幾つかの実施形態では、本システムは、波形発生器及びインピーダンス変動構成要素と結合されたフィルタを更に備え、フィルタは、制御波形をインピーダンス変動構成要素へ通過させ、波形発生器からの無線周波数信号をブロックするように構成される。
【００１４】
幾つかの実施形態では、シグナリングインターフェースは第１のシグナリングインターフェースであり、アンテナモジュールは、フィルタをインピーダンス変動構成要素に結合する第２のシグナリングインターフェースを含む。幾つかの実施形態では、第１のシグナリングインターフェースは第１の同軸ケーブルであり、第２のシグナリングインターフェースは第２の同軸ケーブルである。
【００１５】
幾つかの実施形態では、本システムは、無線モジュール及び制御モジュールが上に配置された回路基板を更に備えることができ、アンテナモジュールは回路基板とは別に配置される。
【００１６】
幾つかの実施形態では、回路基板は第１の回路基板であり、システムは、第１の回路基板と結合され、無線モジュールが上に配置された第２の回路基板を更に備える。
【００１７】
本開示は、回路基板と、回路基板上に配置された無線モジュールと、回路基板とは別に配置されたアンテナモジュールであって、アンテナモジュールは、アンテナと、インピーダンス変動構成要素とを備え、アンテナモジュールは、シグナリングインターフェースを介して無線周波数（ＲＦ）信号を無線モジュールと通信するように構成される、アンテナモジュールと、回路基板上に配置され、シグナリングインターフェースと結合された波形発生器と、無線モジュール及び波形発生器と結合され、アンテナの応答を変動させる制御波形をシグナリングインターフェース上に提供するよう波形発生器を制御するように構成される制御モジュールと、を備えるシステムを更に説明することができる。
【００１８】
幾つかの実施形態では、無線モジュール及び波形発生器は、共通のダイにモノリシックに集積される。
【００１９】
幾つかの実施形態では、本システムは、波形発生器と結合され、制御波形をシグナリングインターフェースに提供するように構成されるフィルタを備えることができ、フィルタは共通のダイにおいて無線モジュール及び波形発生器とモノリシックに集積される。
【００２０】
幾つかの実施形態では、フィルタは、無線モジュールのＲＦ伝送線路を通じてシグナリングインターフェースと結合される。
【００２１】
幾つかの実施形態では、本システムは、波形発生器及びインピーダンス変動構成要素と結合され、制御波形をインピーダンス変動構成要素へ通過させ、波形発生器からのＲＦ信号をブロックするように構成されるフィルタを更に備えることができる。
【００２２】
幾つかの実施形態では、回路基板は第１の回路基板であり、システムは、第１の回路基板上に配置され、無線モジュール、波形発生器及びフィルタが上に配置された第２の回路基板を更に備える。
【００２３】
幾つかの実施形態では、フィルタはシグナリングインターフェースと直接結合される。幾つかの実施形態では、無線モジュールは、無線モジュール及び／又はアンテナモジュールの１つ又は複数の構成要素と結合され、感知された電気特性に基づいてステータス情報を制御モジュールに提供するように構成されるセンサを更に備える。
【００２４】
幾つかの実施形態では、センサは、無線モジュール内の１つ又は複数のロケーションにおいて電気特性を感知し、感知された電気特性に基づいて無線ステータス情報を提供するように構成される。幾つかの実施形態では、制御モジュールは、予めプログラミングされたチューニングパラメータに基づいて波形発生器を制御するように構成される。幾つかの実施形態では、制御モジュールは、動作パラメータに基づいて波形発生器を制御するように構成される。
【００２５】
本開示は、命令を有する１つ又は複数のコンピューター可読媒体であって、命令は実行されると、送受信機に、無線モジュール及び／又は時変アンテナモジュールと関連付けられた電気特性を感知させ、感知された電気特性を予め定められた所望の電気特性と比較させ、比較に基づいて、時変アンテナモジュールのアンテナの特性共振周波数を変動させるように制御波形を調整させる、１つ又は複数のコンピューター可読媒体を更に説明することができる。
【００２６】
幾つかの実施形態では、命令は実行されると、送受信機に更に、感知された電気特性と所望の電気特性との差の絶対値が予め定められた値よりも大きいことを判断させ、判断に基づいて制御波形を調整させる。幾つかの実施形態では、電気特性は、無線モジュールの出力インピーダンス及び／又はアンテナモジュールの入力インピーダンスである。
【００２７】
図１は、幾つかの実施形態による送受信機１００を示している。送受信機１００は、少なくとも図示されるように互いに結合された、アンテナモジュール１０２と、無線モジュール１０４と、制御モジュール１０６とを備えることができる。アンテナモジュール１０２は、波形発生器１０８と、フィルタ１１０と、アンテナ１１２と、インピーダンス変動構成要素（ＩＶＣ）１１４とを備えることができる。アンテナモジュール１０２は、アンテナ１１２の共振応答、以降では「アンテナ応答」を動的に変更することができる時変アンテナモジュールとすることができる。
【００２８】
波形発生器１０８は、フィルタ１１０に提供される複数の制御波形のうちの１つを生成することができる。フィルタ１１０は、制御波形をＩＶＣ１１４に通過させ、波形発生器１０８からの無線周波数（ＲＦ）信号をブロックすることができる。制御波形は低メガヘルツ範囲内にあることができる一方、ＲＦ信号はギガヘルツ範囲内にあることができ、それによってフィルタ１１０のフィルタリング動作が容易になる。
【００２９】
フィルタ１１０は、シグナリングインターフェース１１８によってＩＶＣ１１４と結合し、制御波形の送信を容易にすることができる。シグナリングインターフェース１１８は同軸ケーブルとすることができる。制御波形はＩＶＣ１１４を通じてアンテナ１１２に励起される。ＩＶＣ１１４は例えばバラクターとすることができる。制御波形における電圧は、ＩＶＣ１１４のインピーダンスを変動させ、結果としてアンテナ１１２の特性共振周波数の制御された変動をもたらすことができる。制御波形の変調周波数は、無線信号帯域幅の２倍よりも大きく、データコンタミネーションなしでデータを送信／受信するためのナイキストサンプリング定理を満たす。
【００３０】
ＩＶＣ１１４のインピーダンスを変動させることによって、アンテナ応答は共振周波数を第１の帯域から第２の帯域へ、一帯域から多重帯域へ、及び／又は比較的狭い帯域から比較的広い帯域へ変更するように再構成することができる。様々な実施形態において、矩形波形である制御波形は結果として二重帯域アンテナ応答をもたらすことができ、３ステップ波形である制御波形は結果として三重帯域アンテナ応答をもたらすことができ、鋸歯波形である制御波形は結果として広帯域アンテナ応答をもたらすことができる。制御波形の振幅、周波数及び／又は形状を変動させることによって、アンテナ構造を変更することなく他のアンテナ応答をもたらすことができる。
【００３１】
上記で説明したようなアンテナ応答の帯域再構成に加えて、又はそれに代えて、ＩＶＣ１１４のインピーダンスを変動させることによって、動作周波数におけるインピーダンスマッチングを通してアンテナ効率を改善することができる。
【００３２】
無線モジュール１０４は、ＲＦ信号等のデータ搬送信号の送信のためのシグナリングインターフェース１２０によってアンテナ１１２と結合することができる。シグナリングインターフェース１２０は同軸ケーブルとすることができる。無線モジュール１０４は、シグナリングインターフェース１２０によってアンテナモジュール１０２を用いてＲＦ信号を通信、例えば送信／受信することができる。無線モジュール１０４は、ＲＦ信号をシグナリングインターフェース１２０と通信する伝送線路１３２を含むことができる。
【００３３】
制御モジュール１０６は、アンテナモジュール１０２と結合し、例えば、デジタル制御信号を制御インターフェース１２２によって波形発生器１０８に提供することができる。制御モジュール１０６は、動作パラメータ１２４及び／又はチューニングパラメータ１２６に基づいて波形発生器１０８を制御することができる。
【００３４】
幾つかの実施形態において、動作パラメータ１２４は、送受信機１００の動作モードに関連するパラメータとすることができる。例えば、幾つかの実施形態において、送受信機１００は、第１のアンテナ応答を用いる第１のプロトコル（例えば、デジタルテレビジョン（ＤＴＶ）、ロングタームエボリューション（ＬＴＥ）、ＷｉＦｉ、ＷｉＭＡＸ、Ｂｌｕｅｔｏｏｔｈ（登録商標）、全地球測位衛星（ＧＰＳ）、近距離通信（ＮＦＣ）等）に従う第１の動作モードにおける動作と、第２のアンテナ応答を用いる第２のプロトコルに従う第２の動作モードにおける動作との間で切り換えることができる。１つのプロトコル内で様々な動作モードを用いることもできる。例えば、送受信機１００はアップリンク通信に第１のアンテナ応答を用い、ダウンリンク通信に第２のアンテナ応答を用いることができる。他の実施形態において、他の動作パラメータを追加して／代替的に用いることができる。
【００３５】
アンテナ応答を動的に再構成できることによって、アンテナ１１２を従来のアンテナよりも小さくすることを可能にすることができ、及び／又は合計でより少ないアンテナを用いることを可能にすることができる。幾つかの実施形態において、アンテナ１１２は従来のアンテナよりも３０％以上小さくすることができる。
【００３６】
幾つかの実施形態において、チューニングパラメータ１２６は、送受信機１００又はその構成要素の動作環境に関係するパラメータとすることができる。例えば、幾つかの実施形態において、送受信機１００をホスティングする移動デバイスを把持するユーザーの手の位置によってアンテナ応答のチューニングが外れる（detune）場合がある。別の例では、アンテナ応答は、移動デバイスにおけるアンテナ１１２の設置及び配置中に、予期されるアンテナ応答から変化する場合がある。いずれの例においても、制御モジュール１０６は、適切な振幅、形状及び／又は周波数を有する制御波形を印加して、望ましくない変化を補償するようアンテナ応答をチューニングするように波形発生器１０８を制御することができる。そのようにして、アンテナ応答を、アンテナ１１２が動作している特定の環境に適合させることができる。
【００３７】
様々な実施形態において、制御モジュール１０６は、例えば移動デバイスの組み立て時にチューニングパラメータを用いて予めプログラミングすることができ、及び／又は動作を通じて動的にチューニングパラメータを受信することができる。例えば、１つの実施形態において、無線モジュール１０４は、無線モジュール１０４及び／又はアンテナモジュール１０２の構成要素と関連付けられた電気特性における変化を感知するセンサ１３４を備えることができる。様々な実施形態において、センサ１３４は、送受信機１００、例えばアンテナモジュール１０２内の追加の／代替のロケーションに配置される１つ又は複数のセンサを含むことができる。様々な実施形態において、センサ１３４は、無線モジュール１０４の出力インピーダンス、アンテナモジュール１０２の入力インピーダンス、信号線１３２における信号電力等における変化を感知することができる。これらの感知された変化は、アンテナ応答のチューニングが外れたことを示すことができる。センサ１３４は、これらの感知された電気特性に基づいて、ステータス情報、例えば無線ステータス情報（ＲＳＩ）を生成し、このＲＳＩを制御モジュール１０６にフィードバックすることができる。次に、制御モジュール１０６はこれに従ってアンテナ応答を調整することができる。
【００３８】
幾つかの実施形態において、無線モジュール１０４及び制御モジュール１０６は共通回路基板、例えばプリント回路基板（ＰＣＢ）１２８上に配置することができる。無線モジュール１０４はＰＣＢ１２８と直接結合することもできるし、別の回路基板、例えば無線カード１３０を通じてＰＣＢ１２８と結合することもできる。アンテナモジュール１０２はＰＣＢ１２８とは別に配置することができる。波形発生器１０８は電力インターフェース１１６によってＰＣＢ１２８から電力を受信することができる。
【００３９】
幾つかの実施形態において、制御モジュール１０６は無線カード１３０上又は無線モジュール１０４内に実装することができる。
【００４０】
図２は、幾つかの実施形態による送受信機２００を示している。送受信機２００及びその構成要素は、特に記載がない限りは送受信機１００及びその構成要素と同様に動作することができる。
【００４１】
送受信機２００は、少なくとも図示されるように互いに結合された、アンテナモジュール２０２と、無線モジュール２０４と、制御モジュール２０６とを備えることができる。
【００４２】
アンテナモジュール２０２はアンテナ２１２及びＩＶＣ２１４を備えることができる。一方、この実施形態において、波形発生器２０８及びフィルタ２１０は、アンテナモジュール２０２上ではなくＰＣＢ２２８上に、直接、又はＰＣＢ２２８に結合された無線カード２３０と結合して配置することができる。
【００４３】
無線モジュール２０４は、シグナリングインターフェース２２０によってアンテナモジュール２０２と結合することができる。フィルタ２１０は、ノード２１６においてシグナリングインターフェース２２０と直接結合し、制御波形を与えることができる。ノード２１６は、無線カード２３０又はＰＣＢ２２８上にあることができる。ノード２１６においてフィルタ２１０をシグナリングインターフェース２２０に結合することによって、図１に示す実施形態と比較して、シグナリングインターフェース及び電力インターフェースの数を低減することができる。
【００４４】
図３は、幾つかの実施形態による送受信機３００を示している。送受信機３００及びその構成要素は、特に記載がない限りは送受信機２００及びその構成要素と同様に動作することができる。
【００４５】
送受信機３００は、少なくとも図示されるように互いに結合された、アンテナモジュール３０２と、無線モジュール３０４と、制御モジュール３０６とを備えることができる。
【００４６】
アンテナモジュール３０２はアンテナ３１２及びＩＶＣ３１４を備えることができる。一方、この実施形態において、波形発生器３０８及びフィルタ３１０は、無線モジュール３０４内に配置することができる。このため、波形発生器３０８及びフィルタ３１０は、無線モジュール構成要素、例えば電力増幅器、低雑音増幅器、マッチングネットワーク等とモノリシックに集積することができる。
【００４７】
フィルタ３１０は、ノード３１６において伝送線路３３２と結合することができる。次に、伝送線路３３２はシグナリングインターフェース３２０と結合することができる。送受信機２００と同様に、送受信機３００は、図１に示す実施形態と比較してシグナリングインターフェース数を低減することができる。
【００４８】
図４は、幾つかの実施形態によるチューニング動作４００を示すフローチャートである。ブロック４０２において、チューニング動作４００は、例えばセンサ１３４、２３４又は３３４を用いて、無線モジュール内の１つ又は複数のロケーションにおける電気特性（ＥＣ）を感知することを含むことができる。例えば、ＥＣは無線モジュールの伝送線路において感知することができ、この伝送線路は、低雑音増幅器、電力増幅器等においてシグナリングインターフェースと結合される。様々な実施形態において、限定ではないが、動作中の無線モジュールの信号電力及び出力インピーダンスを含む様々な電気特性を感知することができる。他の実施形態では、ＥＣは他のロケーションにおいて感知することができ、例えばアンテナモジュールの入力インピーダンスとすることができる。
【００４９】
ブロック４０４において、チューニング動作４００は、感知された電気特性（ＳＥＣ）を予め定められた所望の電気特性（ＤＥＣ）と比較することを含むことができる。ＤＥＣは、特定の電気特性の許容される又は予期される値の範囲とすることができる。ブロック４０４の比較は、ＳＥＣとＤＥＣとの差の絶対値が予め定められた閾値よりも大きいか否かを判断することを含むことができる。予め定められた閾値は、許容される又は予期される値の範囲と対応することができる。
【００５０】
ブロック４０４において、ＳＥＣとＤＥＣとの差が予め定められた閾値よりも大きいと判断されると、チューニング動作４００はブロック４０６に進むことができる。
【００５１】
ブロック４０６において、チューニング動作４００は制御波形を調整することを含むことができる。制御波形の調整は、制御モジュール、例えば制御モジュール１０６、２０６又は３０６によって行うことができ、適切なデジタル制御信号が波形発生器、例えば波形発生器１０８、２０８又は３０８に提供される。次に、チューニング動作はブロック４０２におけるＥＣの感知にループバックすることができる。
【００５２】
ブロック４０４において、ＳＥＣとＤＥＣとの差が予め定められた閾値以下であると判断される場合、チューニング動作４００はブロック４０２におけるＥＣの感知にループバックすることができる。
【００５３】
本明細書に記載される送受信機は、所望に応じて構成するように、任意の適切なハードウェア及び／又はソフトウェアを用いてシステム内に実装することができる。図５は、１つの実施形態について、１つ又は複数のプロセッサ５０４と、プロセッサ５０４のうちの少なくとも１つと結合されたシステム制御ロジック５０８と、システム制御ロジック５０８と結合されたシステムメモリ５１２と、システム制御ロジック５０８と結合された不揮発性メモリ（ＮＶＭ）／ストレージ５１６と、システム制御ロジック５０８と結合されたネットワークインターフェース５２０とを備える例示的なシステム５００を示している。
【００５４】
プロセッサ５０４は、１つ又は複数のシングルコアプロセッサ又はマルチコアプロセッサを含むことができる。プロセッサ５０４は、汎用プロセッサ及び専用プロセッサ（例えばグラフィックスプロセッサ、アプリケーションプロセッサ等）の任意の組み合わせを含むことができる。
【００５５】
１つの実施形態のシステム制御ロジック５０８は、プロセッサ５０４のうちの少なくとも１つ、及び／又はシステム制御ロジック５０８と通信する任意の適切なデバイス若しくは構成要素への任意の適切なインターフェースを提供する任意の適切なインターフェースコントローラーを含むことができる。
【００５６】
１つの実施形態のシステム制御ロジック５０８は、システムメモリ５１２にインターフェースを提供する１つ又は複数のメモリコントローラーを含むことができる。システムメモリ５１２を用いて、例えばシステム５００のデータ及び／又は命令をロードし記憶することができる。１つの実施形態のシステムメモリ５１２は、例えば適切なダイナミックランダムアクセスメモリ（ＤＲＡＭ）等の任意の適切な揮発性メモリを含むことができる。
【００５７】
ＮＶＭ／ストレージ５１６は、例えばデータ及び／又は命令を記憶するのに用いられる１つ又は複数の有形の、非一時的コンピューター可読媒体を含むことができる。ＮＶＭ／ストレージ５１６は、例えばフラッシュメモリ等の任意の適切な不揮発性メモリを含むことができ、及び／又は、例えば１つ又は複数のハードディスクドライブ（ＨＤＤ）、１つ又は複数のコンパクトディスク（ＣＤ）ドライブ、及び／又は１つ又は複数のデジタル多用途ディスク（ＤＶＤ）ドライブ等の任意の適切な不揮発性ストレージデバイスを含むことができる。
【００５８】
ＮＶＭ／ストレージ５１６は、システム５００が設置されるデバイスの物理的に一部分のストレージリソースを含むことができるか、又はＮＶＭ／ストレージ５１６は、デバイスによってアクセス可能であるが、必ずしもデバイスの一部でなくてもよい。例えば、ＮＶＭ／ストレージ５１６はネットワークインターフェース５２０を介してネットワークを通じてアクセスすることができる。
【００５９】
システムメモリ５１２及びＮＶＭ／ストレージ５１６はそれぞれ、特に、チューニングロジック５２４及びパラメータ５２６、例えば動作パラメータ及びチューニングパラメータの一時的コピー及び永続的コピーを含むことができる。チューニングロジック５２４は、プロセッサ５０４のうちの少なくとも１つによって実行されると、結果としてシステム５００が本明細書において説明されるチューニング動作を実行する命令を含むことができる。幾つかの実施形態において、チューニングロジック５２４、又はそのハードウェア、ファームウェア及び／又はソフトウェア構成要素を、システム制御ロジック５０８、ネットワークインターフェース５２０及び／又はプロセッサ５０４内に追加して／代替的に配置することができる。
【００６０】
ネットワークインターフェース５２０は、システム５００に、１つ又は複数のネットワークを通じて及び／又は任意の他の適切なデバイスと通信する無線インターフェースを提供する送受信機５２２を有することができる。送受信機５２２は、送受信機１００、２００、及び／又は３００に類似しているか、実質的にそれらと交換可能とすることができる。様々な実施形態において、送受信機５２２はシステム５００の他の構成要素と統合することができる。例えば、送受信機５２２は、プロセッサ５０４のプロセッサと、システムメモリ５１２のメモリと、ＮＶＭ／ストレージ５１６のＮＶＭ／ストレージとを備えることができる。ネットワークインターフェース５２０は、任意の適切なハードウェア及び／又はファームウェアを備えることができる。ネットワークインターフェース５２０は、ＭＩＭＯ無線インターフェースを提供するように複数のアンテナを含むことができる。１つの実施形態のネットワークインターフェース５２０は、例えばネットワークアダプター、無線ネットワークアダプター、電話モデム、及び／又は無線モデムを備えることができる。
【００６１】
１つの実施形態について、プロセッサ５０４のうちの少なくとも１つは、システム制御ロジック５０８の１つ又は複数のコントローラーのロジックとともにパッケージ化することができる。１つの実施形態について、プロセッサ５０４のうちの少なくとも１つは、システムインパッケージ（ＳｉＰ）を形成するように、システム制御ロジック５０８の１つ又は複数のコントローラーのロジックとともにパッケージ化することができる。１つの実施形態について、プロセッサ５０４のうちの少なくとも１つは、システム制御ロジック５０８の１つ又は複数のコントローラーのロジックと同じダイ上に集積することができる。１つの実施形態について、プロセッサ５０４のうちの少なくとも１つは、システムオンチップ（ＳｏＣ）を形成するように、システム制御ロジック５０８の１つ又は複数のコントローラーのロジックと同じダイ上に集積することができる。
【００６２】
システム５００は、入／出力（Ｉ／Ｏ）デバイス５３２を更に備えることができる。Ｉ／Ｏデバイス５３２は、システム５００とのユーザーインタラクションを可能にするように設計されたユーザーインターフェース、システム５００との周辺構成要素インタラクションを可能にするように設計された周辺構成要素インターフェース、及び／又はシステム５００に関連する環境条件及び／又はロケーション情報を求めるように設計されたセンサを備えることができる。
【００６３】
様々な実施形態において、ユーザーインターフェースは、限定ではないが、ディスプレイ（例えば液晶ディスプレイ、タッチスクリーンディスプレイ等）と、スピーカーと、マイクロフォンと、１つ又は複数のカメラ（例えば静止カメラ及び／又はビデオカメラ）と、フラッシュライト（例えば発光ダイオードフラッシュ）と、キーボードとを含むことができる。
【００６４】
様々な実施形態において、周辺構成要素インターフェースは、限定ではないが、不揮発性メモリポートと、オーディオジャックと、電源インターフェースとを含むことができる。
【００６５】
様々な実施形態において、センサは、限定ではないが、ジャイロセンサと、加速度計と、近接センサと、周囲光センサと、位置決めユニットとを含むことができる。位置決めユニットは、位置決めネットワークの構成要素、例えば全地球測位システム（ＧＰＳ）衛星と通信するためのネットワークインターフェース５２０の一部とすることもできるし、そのネットワークインターフェース５２０とインタラクトすることもできる。
【００６６】
種々の実施形態において、システム５００は、限定ではないが、ラップトップ型コンピューティングデバイス、タブレット型コンピューティングデバイス、ネットブック、スマートフォン等の携帯型コンピューティングデバイスとすることができる。種々の実施形態において、システム５００は、より多くの構成要素若しくはより少ない構成要素及び／又は異なるアーキテクチャを有することができる。
【００６７】
説明の目的で本明細書に或る特定の実施形態を図示し、記述したが、同じ目的を達成するよう計算された多様な代替的及び／又は均等な実施形態又は実施態様が、本開示の範囲から逸脱することなく図示及び説明された実施形態を置換することができる。本願は、本明細書に記載の実施形態の任意の適用（adaptation）又は変形を包含することが意図される。したがって、本明細書に記載の実施形態は、特許請求の範囲及びその均等物のみにより限定されることが明示的に意図される。
【図１】
0005953525.tif 000002
【図２】
0005953525.tif 000003
【図３】
0005953525.tif 000004
【図４】
0005953525.tif 000005
【図５】
0005953525.tif 000006